【手続補正書】
【提出日】平成16年12月17日(2004.12.17)
【手続補正１】
【補正対象書類名】明細書
【補正対象項目名】全文
【補正方法】変更
【補正の内容】
【書類名】  明細書
【発明の名称】  パチンコ機の遊技盤
【特許請求の範囲】
【請求項１】  遊技盤の中央に配置された中央表示装置と、前記中央表示装置の下部に配置され大入賞口と、前記大入賞口の左右上部に複数の普通入賞口が設けられた本入賞装置と、前記本入賞装置の上部で且つ前記中央表示装置との間に配置された中央入賞装置と、を備えるパチンコ機の遊技盤であって、
前記中央入賞装置の入賞口を、前記中央表示装置の変動表示を開始させるための始動口としての特別入賞口に設定し、前記中央表示装置に所定の特定図柄が表示された場合には、前記大入賞口が所定の条件で開放制御されるように制御され、
前記遊技盤の裏面側には、前記各入賞口から入賞したパチンコ球を遊技盤外に誘導する入賞球誘導路が形成されており、
前記本入賞装置の裏面側には、前記パチンコ機の遊技盤に装着された際に該遊技盤の裏面側において前記入賞球誘導路の一部を構成する球通路が形成されており、
前記球通路として、前記大入賞口に入賞した球が通過する第１の球通路と、前記第１の普通入賞口に入賞した球が通過する第２の球通路と、前記第２の普通入賞口に入賞した球が通過する第３の球通路と、前記特別入賞口に入賞した球が通過する第４の球通路とが相互に隔てられ、且つ、合流しないように設けられると共に、前記第４の球通路は、前記第２の球通路と前記第３の球通路との間に形成されていることを特徴とするパチンコ機の遊技盤。
【発明の詳細な説明】
【０００１】
【発明の属する技術分野】
本発明はパチンコ機に関し、詳しくは、パチンコ機に装備される遊技盤および当該遊技盤に装着される入賞装置に関する。
【０００２】
【従来の技術】
いわゆるパチンコ機の遊技盤には、近年のパチンコ遊技の多様化および複雑化に伴って、大型の図柄表示装置や装飾部材とともに種々の形状の入賞装置が多数装着されている。これら入賞装置には入賞口が形成されており、遊技盤上に射出されたパチンコ球（以下「遊技球」という。）は当該入賞口に入賞すると当該入賞装置を介して遊技盤の裏面側に送出される。而して、遊技盤には、各個に機能・役割の異なる種々の入賞装置（即ち役物）が装着されている。
例えば、いわゆる第１種パチンコ遊技を行うためのパチンコ機の遊技盤上には、当該遊技盤上に射出されたパチンコ球が入賞することによって特別図柄表示装置を作動させる機能を有する第１種始動口といわれる入賞口を形成する入賞装置や当該特別図柄表示装置において特定の図柄が表示された場合に開放される大入賞口（変動入賞口）を形成する入賞装置等が装着されている。
【０００３】
そして、これら入賞装置を遊技盤に配置することに伴い、遊技盤の裏面側（即ちパチンコ機本体に装着した際に当該パチンコ機本体に対向する側。以下同じ。）においては、各入賞装置に形成された入賞口から入賞したパチンコ球（以下「入賞球」という。）を遊技盤外の所定の場所（典型的にはパチンコ機本体に設けられた球送り通路や入賞球回収ケース（以下「球送り機構」という。））に誘導するための入賞球誘導路が形成されている。
すなわち、図１０および図１１に示すように、遊技盤１０８の本体を構成するパネル部材１０８ａには、普通入賞口１１６ａを形成する普通入賞装置１１６の他に上記第１種始動口のような特別入賞口１１７ａを形成する入賞装置１１７や大入賞口を形成する大型の入賞装置（アタッカーとも呼ばれる）１１０が装着されており、上記特別入賞口１１７ａを形成する入賞装置１１７について図示するように、遊技盤１０８の裏面側には上記入賞球誘導路を構成する裏誘導路１２１が典型的には入賞口１１７ａごとに設けられており、入賞球は当該裏誘導路１２１を介して遊技盤１０８外の上記球送り機構に送出される。
【０００４】
ところで、このような従来の遊技盤１０８においては、上述のような機能・役割の異なる入賞装置（役物ともいわれる）の配置の自由度を大きくするため、各種入賞口に入賞した入賞球を検出する検知器１２８（典型的には近接スイッチ等の検知スイッチ）は、図１０に示すように遊技盤１０８の表面側（即ちパチンコ機本体に装着した際に当該パチンコ機本体の正面方向に向く側。以下同じ。）における第１種始動口等の入賞口１１７ａ形成部分に設置されるか、あるいは、図１１に示すように裏誘導路１２１の一部分に設置されている。
【０００５】
【発明が解決しようとする課題】
しかしながら、上述のような遊技盤表面の入賞口形成部分に入賞球検知器を設置する手段（図１０参照）によっては、当該入賞口の形状が大きくなり、結果、当該入賞口を形成する入賞装置の大型化を招くこととなる。然るにこのことは、遊技盤表面における当該入賞装置の専有スペースを増大させることとなり、延いては、限られたスペースに他の多くの入賞装置や図柄表示装置（ディスプレー）等の遊技装置類を装着しなければならない遊技盤上において当該入賞装置自体あるいは他の遊技装置類の配置箇所を制限する一因となるために好ましいことではない。また、このような入賞口形成部分に入賞球検知器を設置する手段によっては、例えば当該入賞口（典型的には始動口）に金属棒を出し入れすること等によって実際には入賞していないのに賞球が払い出される（ホール店員が特定の者にサービスをする）等の不正が行われ易い。また、入賞球検知器が電磁式近接検知スイッチの場合、磁石や電波等によって誤動作を発生させるという不正行為が起こり得る。
【０００６】
他方、上述のような遊技盤裏面の裏誘導路に入賞球検知器を設置する手段（図１１参照）によっては、当該裏誘導路途上に入賞球検知器の装着スペースを確保する必要上、入賞装置の配置場所に応じてそれに付随する裏誘導路の設置場所がほぼ一義的に決定されがちである。然るにこのことは、当該裏誘導路の設置場所を避けて他の遊技装置（遊技盤裏面に一部を露出させる入賞装置や図柄表示装置を含む）を配置すること、すなわち当該裏誘導路の設置場所に応じて他の遊技装置類や別の球誘導路の配置箇所を決定せざるを得ないことを意味し、これら遊技装置の遊技盤上での配置箇所に関する自由度を奪うものであるため好ましいことではない。また、このことは遊技装置類の遊技盤裏面側露出部分を避けるようにして裏誘導路を設けざるを得ないことを意味しており（図１０、図１１参照）、裏誘導路の垂直部分（即ち入賞球落下部分）に設けた入賞球検知器と入賞口との間の距離が長くなる結果、入賞球を検出する時間が遅くなるという不都合を生じさせ得る。
【０００７】
本発明は、このような従来のパチンコ機用遊技盤における問題点を解決するものであり、その目的とするところは、入賞装置の配置箇所および入賞球誘導路の形成部位を制限することなく入賞球検知手段を備えたパチンコ機用遊技盤を提供することである。
【０００８】
【課題を解決するための手段】
上記目的を達成するため、本発明のパチンコ機の遊技盤は、遊技盤の中央に配置された中央表示装置（１２）と、前記中央表示装置（１２）の下部に配置され大入賞口（３５）と、前記大入賞口（３５）の左右上部に複数の普通入賞口（１３ａ、１３ｂ）が設けられた本入賞装置（１０）と、前記本入賞装置（１０）の上部で且つ前記中央表示装置（１２）との間に配置された中央入賞装置と（１７）を備えている。
【０００９】
又、中央入賞装置（１７）の入賞口を、前記中央表示装置（１２）の変動表示を開始させるための始動口として特別入賞口に設定し、中央表示装置（１２）に所定の特定図柄が表示された場合には、前記大入賞口（３５）が所定の条件で開放制御されるように制御されている。
又、遊技盤の裏面側には、前記各入賞口から入賞したパチンコ球を遊技盤外に誘導する入賞球誘導路（２４、２８、２９）が形成されていると共に、本入賞装置（１０）の裏面側には、前記パチンコ機の遊技盤が装着された際に、前記入賞球誘導路（２４）の一部を構成する球通路が形成されている。
【００１０】
そして、前記球通路として、前記大入賞口（３５）に入賞した球が通過する第１の球通路（６６）と、前記第１の普通入賞口（５７）に入賞した球が通過する第２の球通路（６８）と、前記第２の普通入賞口（５２）に入賞した球が通過する第３の球通路（６２）と、前記特別入賞口（１７）に入賞した球が通過する第４の球通路（５６）とが相互に隔てられ、且つ、合流しないように設けられると共に、前記第４の球通路（５６）は、前記第２の球通路（６８）と前記第３の球通路（６２）との間に形成されている。
【００１１】
【発明の実施の形態】
以下、本発明の遊技盤の好適な一実施形態について図面に基づいて説明する。なお、図１は本実施形態に係る本発明の遊技盤８を装着したパチンコ機１の外観を示した正面図である。
【００１２】
図１に示すように、このパチンコ機１は、従来の一般的なパチンコ機と同様、長方形枠状に成形された木枠２の前面に額縁状に成形された前枠３が装着されている。この前枠３の上部には、後述する本実施形態に係る本発明の遊技盤８を透視し得るガラス板を嵌め込み装着した金枠４が開閉可能に軸着されている。一方、前枠３の下部には、上記金枠４に隣接して前板５が開閉可能に軸着されている。この前板５の表面にはパチンコ球の受け皿である上皿５ａが取り付けられている。この前板５の下方には、パチンコ球の受け皿の一つである下皿６やパチンコ球を遊技盤上に発射するための発射装置（図示せず）に連通するハンドル７等が装着されている。なお、上述の各構造物は、一般的なパチンコ機に装備されているものと同様のものであり、本発明を何ら特徴付けるものではないので、これらに関する詳細な説明は省略する。
而して、この金枠４の裏面側には、本パチンコ機１においてパチンコ遊技（第１種パチンコ遊技）を実施するために必要な種々の遊技装置類を備えた本実施形態に係る本発明の遊技盤８（以下「本遊技盤８」と略称する。）が着脱可能に装着されている。以下、本遊技盤８の構成について説明する。
【００１３】
図２は、パチンコ機１に装着された本遊技盤８の表面側の要部を示す正面図である。この図に示すように、本遊技盤８は、従来のものと同様、平板状のパネル部材８ａと当該パネル部材８ａ上に装着された後述する種々の遊技装置類とから構成されている。このパネル部材８ａの表面には、パチンコ機１の発射装置（図示せず）から発射されたパチンコ球を遊技盤８上部に誘導するための誘導レール９が円形渦巻き状に装着されている。そして、この誘導レール９によって包囲された内側の領域が本遊技盤８における遊技領域である。
この遊技領域の中央部には、日本古来の社の形状に装飾された大型の中央表示装置１２が組み込まれている。この中央表示装置１２の中央部分には、特別図柄を表示するための液晶ディスプレイ１２ａが備えられている。さらに、液晶ディスプレイ１２ａの上方には、７セグメントＬＥＤ（図示せず）を備えた普通図柄表示部１２ｂが設けられている。
而して、この中央表示装置１２の下方には、第１種始動口に相当する特別入賞口１７ａを備えた中央入賞装置１７や後述する大入賞口３５および第１種始動口に相当する中央下入賞口３８ａ等の入賞口を複数備えた入賞装置１０（以下「本入賞装置１０」と略称する。）が装着されている。なお、本入賞装置１０は本発明を特徴付けるものであり、その詳細については後述する。
【００１４】
図２に示すように、中央表示装置１２の周囲には、本入賞装置１０の他、本遊技盤８におけるパチンコ遊技内容を決定する種々の遊技装置類が配置されている。すなわち、本遊技盤８上に射出された遊技球の落下速度や方向を調節するための多数の遊技釘１１や風車１４，１５とともに、液晶ディスプレイ１２ａの両側には遊技球の通過によって上記中央表示装置１２の普通図柄表示部１２ｂにおいて普通図柄変動（例えば７セグメントＬＥＤによる数字の変動）を開始させるゲート１６が設けられており、また、遊技者の目を楽しませつつ本遊技盤８の美観を向上させるための装飾灯１８，１９が遊技領域の内外に複数配備されている。この他、上記中央入賞装置１７の側方には、いわゆる普通入賞口を形成する普通入賞装置１３ａ，１３ｂが左右一対装着されている。また、本遊技盤８の遊技領域下端部中央には、いずれの入賞口にも入賞しなかった遊技球を回収するためのアウト口２０が設けられている。
【００１５】
ところで、本遊技盤８は、いわゆる第１種パチンコ遊技を実施するために構築されたものであり、上述の各種遊技装置（本入賞装置１０を含む）の動作は、パチンコ機１本体側に設けられた制御装置（図示せず）によって遊技内容に応じて制御されている。以下、本遊技盤８の表面構成に基づいて第１種パチンコ遊技内容の概略を記す。
本遊技盤８に射出された遊技球が第１種始動口を構成する上述の中央入賞装置１７若しくは本入賞装置１０の中央下入賞口３８ａに入賞した場合、上記中央表示装置１２の液晶ディスプレイ１２ａに表示される特別図柄が変動する。このとき、液晶ディスプレイ１２ａに所定の特定図柄（当たり図柄）が表示された場合には、本入賞装置１０における大入賞口３５が、所定の時間（典型的には３０秒間若しくは１０個の遊技球が入賞するまでの間）開放する（図２参照）。そして、当該大入賞口３５より入賞した遊技球が本入賞装置１０の一部（典型的にはベース板３０裏面側）に設けられた特別入賞区域（以下「Ｖゾーン」という。）を通過した場合には、大入賞口３５の開放が反復される。但し、一度に反復できる回数には上限が設けてある（典型的には最大１６回の反復継続）。なお、本入賞装置１０における中央下入賞口３８ａは、通常は後述する扉部材４０によって閉鎖されており、上記中央表示装置１２の普通図柄表示部１２ｂにおいて所定の図柄が表示された場合に限って開放するように制御されている。すなわち、遊技球が上記普通図柄作動用のゲート１６を通った場合に上記中央表示装置１２の普通図柄表示部１２ｂにおいて図柄（ここでは７セグメントＬＥＤによる数字の変動）が変動し、所定の図柄（例えば３または７）が表示された場合には本入賞装置１０の中央下入賞口３８ａが第１種始動口として所定時間（例えば１秒間）開放する。
【００１６】
次に、本遊技盤８の下部に装着された本入賞装置１０について説明する。なお、図４および図５は本入賞装置１０の外観を示す斜視図であり、図６は本入賞装置１０の正面図である。
図１および図２に示すように、本入賞装置１０は、遊技盤８の下部において当該遊技盤８の横方向ほぼ一杯を占有するようにして装着される比較的大型の入賞装置である。而して、図４〜図６に示すように、本入賞装置１０は、後述する種々の構造物を装備した台座に相当する平板状に成形された合成樹脂若しくは金属製のベース板３０を備えている。このベース板３０の周縁部にはビス取付け用の穴５０が適当数設けてあり、本入賞装置１０を取り付けるためにパネル部材８ａに予め設けられている開口部からベース板３０背面側の付属物が遊技盤８（パネル部材８ａ）裏面側に露出するようにして当該パネル部材８ａ表面にビス着されている（図１および図２参照）。
【００１７】
以下、本入賞装置１０の構成をさらに詳細に説明するとともに、本入賞装置１０に備えられた種々の入賞口について説明する。
ベース板３０の表面中央には、周囲が長方形枠状の大入賞口３５が形成されており、その開口部には当該大入賞口３５を塞ぎ得る長方形平板状のプレート部材３２が開閉可能に軸着されている。なお、このプレート部材３２の開閉動作は本入賞装置１０裏面側に装着されているソレノイド６３によって制御されており、当該ソレノイド６３の駆動に応じてプレート部材３２の上部が手前に開く（迫り出す）ことによって、大入賞口３５が所定時間開放される。すなわち、図５に示すように、このプレート部材３２の下端部は、ベース板３０に開閉可能に軸着されているとともに、当該プレート部材３２裏面側のパチンコ機１正面からみて右側の軸着部分には連結片３２ａが突設されている。一方、当該連結片３２ａに近接する位置には、上記ソレノイド６３が装着されている。このソレノイド６３に装備されたプランジャ６３ａには上記連結片３２ａと係合し得る連結部６３ｂが形成されている。而して、図５に示すように、上記連結片３２ａと連結部６３ｂとを係合することによって、ソレノイド６３の駆動（即ちプランジャ６３ａの往復運動）に応じて上記プレート部材３２の開閉が行われる。なお、大入賞口３５の開放時には、上記プレート部材３２が遊技球の球受け部材となり、開放と同時に本遊技盤８表面上に迫り出した当該プレート部材３２の裏面に当たった遊技球をそのまま大入賞口３５内に誘導する。
【００１８】
図５に示すように、この大入賞口３５の内部には通路５３を挟んで異なる二つの内部入賞口５８，５９が形成されている。すなわち、パチンコ機１正面からみて左側の内部入賞口５８を通過する入賞球の経路が上記Ｖゾーンに相当し、他方、右側の内部入賞口５９を通過する入賞球の経路は、いわゆる一般入賞区域（所定数の賞球を払い戻すことが決定される入賞球通過経路）である。ここで、上記通路５３は上記右側内部入賞口５９に向かって傾斜しており、この通路５３上の入賞球は全て当該内部入賞口５９に向かうこととなる。
【００１９】
一方、図４に示すように、Ｖゾーンに連なる上記左側内部入賞口５８の正面に相当するプレート部材３２の裏面には、１個の入賞球Ｂを停留させ得る一対のホールド片５５ａ，５５ｂからなる停留部５５が形成されている。而して、プレート部材３２が開放された際には、上記一対のホールド片５５ａ，５５ｂに挟持されるようにして上記停留部５５に１個の入賞球Ｂが停留され得る。これにより、１個の入賞球Ｂが当該停留部５５に停留された後に当該停留部５５付近に入賞した入賞球は、当該停留球Ｂに阻まれるため、上記Ｖゾーンに向かう左側内部入賞口５８に送り込まれることがない。而して、所定時間経過後にプレート部材３２が閉鎖される際には、当該プレート部材３２の回動とともに一対のホールド片５５ａ，５５ｂの開放された上部が上記左側の内部入賞口５８に向かって傾いてゆき、ついには当該部分から停留球Ｂが転がり落ちて当該内部入賞口５８に放出される。以上のとおり、本入賞装置１０に形成された大入賞口３５においては、上記停留部５５を設けた結果、大入賞口３５の一度の開放につき１個の入賞球ＢのみをＶゾーンに導くことができる。而して、プレート部材３２開放時には、上記停留部５５に入賞球Ｂが停留しているのを外部から観察することができるため、遊技者のパチンコ遊技に対する歓心を高めることができる。
なお、上記左側内部入賞口５８および右側内部入賞口５９は、各々独立してベース板３０裏面側に設けられた後述する球通路６７，６５（図３参照）に連通している。
【００２０】
一方、図４および図６に示すように、大入賞口３５を挟むようにしてその左側および右側には、各々、レンズカット加工が施された半透明合成樹脂製の左装飾カバー部材３１および右装飾カバー部材４８が装着されている。而して、これら装飾カバー部材３１，４８の内側には図示しない装飾用ランプ（図示せず）が本入賞装置１０の裏面に配置されたランプ基板に電気的に接続された状態で配置されている。また、図４および図６に示すように、上記左装飾カバー部材３１および右装飾カバー部材４８の上面部には第１の普通入賞口５７と第２の普通入賞口５２が形成されており、これら第１の普通入賞口５７と第２の普通入賞口５２の内部には、各々、入賞球を検出する検知器７８，７９（ここでは機械式接触スイッチ）が備えられている。なお、これら第１の普通入賞口５７と第２の普通入賞口５２は、各々独立してベース板３０裏面側に設けられた後述する第３の球通路６８，第２の球通路６２（図３参照）に連通している。
また、図４に示すように、上記右装飾カバー部材４８の内側下寄りは、本入賞装置１０の内側に張り出すようにして湾曲形成されるとともに当該湾曲部分の上面部は平坦に成形されており、当該部分に当たった遊技球をそのまま本入賞装置１０の中央方向に誘導し得るガイド部４４を形成している。而して、図４に示すように、左右二つの上記装飾カバー部材３１，４８の表面下部には、樹脂製のプレートからなる連絡部材４６が架設されている。
【００２１】
一方、大入賞口３５の下方中央には、上記第１種始動口に相当する中央下入賞口３８ａが形成されている。この中央下入賞口３８ａは、上述の大入賞口３５と同様、その開口部には当該中央下入賞口３８ａを塞ぎ得るプレート状の扉部材４０が開閉可能に軸着されている。この扉部材４０の開閉動作は本入賞装置１０裏面側に装着されている図示しないソレノイドによって制御されており、当該ソレノイドの駆動に応じて扉部材４０の上部が手前に開く（迫り出す）ことによって、中央下入賞口３８ａが開放される。なお、上記大入賞口３５の場合と同様、中央下入賞口３８ａの開放時には、上記扉部材４０が遊技球の球受け部材となり、開放と同時に遊技盤８上に迫り出した当該扉部材４０の裏面に当たった遊技球をそのまま中央下入賞口３８ａ内に誘導する。
なお、この中央下入賞口３８ａは、ベース板３０裏面側に設けられた後述する第１の球通路６６に連通している。
【００２２】
次に、上記中央下入賞口３８ａの側方に備えられた誘導片３６、４２について簡単に説明する。図４および図６に示すように、この中央下入賞口３８ａの左右両側方であって、上記ベース板３０と連絡部材４６との間には、所望する形状に成型された好ましくは合成樹脂からなる誘導片３６，４２が左右非対称に固定状態で装着されている。これら二つの誘導片３６，４２は上記ベース板３０と連絡部材４６との隙間を埋めるようにして中央下入賞口３８ａの左右に設けられている。これら誘導片３６，４２の上面部分（球受け部分）は平坦に成形されており、この部分に当たった遊技球Ｂを中央下入賞口３８ａに効率よく誘導することができる。
このように二つの誘導片３６，４２を設けた結果、上記左装飾カバー部材３１と中央下入賞口３８ａのパチンコ機１正面からみて左側に備えられた誘導片３６（以下「左側誘導片３６」という。）との間には、当該左側誘導片３６に捕捉されなかった遊技球を下方のアウト口２０へ向かわせる通し孔３４が形成されている。また、上記右装飾カバー部材４８と中央下入賞口３８ａのパチンコ機１正面からみて右側に備えられた誘導片４２（以下「右側誘導片４２」という。）との間には、上記ガイド部４４に沿って誘導された遊技球を当該右側誘導片４２に捕捉させることなくアウト口２０へ向かわせるための通し孔４３が形成されている。また、上記二つの誘導片３６，４２の間は、上記扉部材４０が閉じている場合（すなわち中央下入賞口３８ａが開放されていない場合）には通し孔３８ｂとなっており、扉部材４０が閉じている場合において当該二つの誘導片３６，４２に誘導された遊技球は、当該通し孔３８ｂよりアウト口２０に向けて落下することとなる。
【００２３】
ところで、本実施形態においては、左側誘導片３６と右側誘導片４２との形状が大きく異なっている。すなわち、図４および図６から明らかなように、本実施形態において、左側誘導片３６の中央下入賞口３８ａから当該誘導片３６先端に至るまでの距離（典型的には３０ｍｍ又はそれ以上）が、右側誘導片４２の中央下入賞口３８ａから当該誘導片４２先端に至るまでの距離（典型的には５〜６ｍｍ又はそれ以下）よりも長くなるように形成されている。これにより、本入賞装置１０においては、パチンコ機１全体のデザイン（美観）その他の観点から上記中央下入賞口３８ａを遊技盤８のほぼ中央に配置したにも関わらず、一般的に遊技球Ｂが高頻度に通行する領域である遊技盤８の向かって左側方向から意図的に遊技球Ｂを高頻度に数多く捕捉しつつ中央下入賞口３８ａに誘導することができる。他方、遊技球Ｂが通常は高頻度に通行しない領域である遊技盤８の向かって右方向からは元々多くの遊技球の入賞が期待できない。このことから、中央下入賞口３８ａの右側方には、当該中央下入賞口３８ａからの距離（即ち遊技球を捕捉し得る範囲）が僅かしかない小さな右側誘導片４２を配置し、入賞頻度の観点からみて効果のない長大な誘導片を配置することによる遊技盤８上の貴重なスペースの無意味な占有を回避している。従って、左右非対称の上記誘導片３６，４２を設けた本入賞装置１０によれば、第１種始動口に相当する中央下入賞口３８ａに数多くの遊技球Ｂが入賞することを望む遊技者の期待に応えて当該パチンコ遊技に対する遊技者の歓心を高めることができる。
【００２４】
さらに、本入賞装置１０における左側誘導片３６と右側誘導片４２とは、それらの上面部（即ち球受け部分）の傾斜および高度が異なるようにして装備されている。すなわち、左側誘導片３６の上面における中央下入賞口３８ａへの傾斜角が右側誘導片４２の上面における中央下入賞口３８ａへの傾斜角よりも緩やかとなり、且つ、左側誘導片３６の上面の中央下入賞口３８ａに隣接する部位の高度が右側誘導片４２の上面の中央下入賞口３８ａに隣接する部位の高度よりも低くなるように形成されている。このことによって、本入賞装置１０においては、左側誘導片３６の上面を通って中央下入賞口３８ａに入賞しようとする遊技球と右側誘導片４２の上面を通って中央下入賞口３８ａに入賞しようとする遊技球との間で遊技球の転がり速度ならびに当該中央下入賞口３８ａへ侵入する際の高さを異ならせることが可能となり、従来の入賞装置におけるような入賞口へ左右両方向から同じ条件（即ち誘導片３６，４２から中央下入賞口３８ａへ落下する際の転がり速度または位置（高さ））で同時に遊技球が入賞することがあり得ず、結果、当該中央下入賞口３８ａの前方においての遊技球同士の接触に因る球詰まりを回避することができる。
【００２５】
次に、本発明を特徴付ける本遊技盤８の裏面側の構成について説明する。図３に示すように、本遊技盤８のパネル部材８ａには、中央表示装置１２を当該パネル部材８ａに組み付けるための中央大開口部２１ならびに装飾灯１９および風車１４を装着するための取付け穴２２，２３が設けられており、さらに上述の各入賞装置１７，１３ａ，１３ｂ，１０を装着するための開口部が設けられている。而して、これら開口部分には、各入賞装置すなわち中央入賞装置１７、左右一対の普通入賞装置１３ａ，１３ｂおよび本入賞装置１０がそれぞれ装着されている。なお、中央入賞装置１７、左右一対の普通入賞装置１３ａ，１３ｂについても本入賞装置１０と同様、本遊技盤８の表面側においてパネル部材８ａにビス着されている。
【００２６】
次に、本実施形態に係る入賞球誘導路について説明する。図３に示すように、本遊技盤８の裏面側に形成されている入賞球誘導路は、大まかにいって、上記左右一対の普通入賞装置１３ａ，１３ｂにおける入賞口１３ｃ，１３ｄに対応してそれぞれ設けられた左右一対の裏誘導路２８，２９と、上記中央入賞装置１７における特別入賞口（ここでは第１種始動口）１７ａに対応して設けられた裏誘導路２４と、本入賞装置１０裏面に備えられた複数の球通路５６，６２，６５，６６，６７，６８とから構成されている。以下、詳細に説明する。
【００２７】
図３に示すように、パネル部材８ａの裏面には、上記中央入賞装置１７における特別入賞口１７ａおよび各普通入賞装置１３ａ，１３ｂにおける普通入賞口１３ｃ，１３ｄに対応して裏誘導路２４，２８，２９が当該入賞口を各々包囲するようにして装着されている。
これら裏誘導路２４，２８，２９は入賞球誘導路の構成部分として相互に独立して形成されており、上述の各入賞口１７ａ，１３ｃ，１３ｄを介して遊技盤８の表面側から裏面側に誘導された入賞球をパチンコ機１本体に設けられた図示しない球送り機構に送出するための筒状の誘導通路（図３中の矢印参照）である。このうち、上記左右一対の普通入賞装置１３ａ，１３ｂに関する裏誘導路２８，２９は、本入賞装置１０の裏面を介することなく、本遊技盤８がパチンコ機１本体に装着された際には当該パチンコ機１本体側の球送り通路（図示せず）に連結される。
【００２８】
他方、上記中央入賞装置１７に関する裏誘導路２４は、本入賞装置１０の裏面に設けられた後述する第４の球通路５６に連結されている。以下、このことを本入賞装置１０の裏面の構成とともに詳細に説明する。
図３に示すように、本入賞装置１０の裏面側には、パネル部材８ａの開口部周縁の形状に合致する枠部材６０が設けられている。而して、本入賞装置１０を遊技盤８に装着する際には、この枠部材６０は遊技盤８パネル部材８ａに形成された上記開口部周縁に密着するようにして当該パネル部材８ａに嵌装される。なお、上述の大入賞口３５内の通路５３や上記装飾用ランプのためのランプ基板ならびに上記扉部材４０の開閉動作に関するソレノイド等の装置は、当該枠部材６０に囲まれた内側に配置されている。
【００２９】
さらに、この枠部材６０の上面（即ちパネル部材８ａに装着された際にパチンコ機１本体と向き合う面）には、図３に示すように、典型的には合成樹脂製の球通路形成ブロック６１がビス着されている。
図３、ならびに、図６におけるＡ−Ａ線矢視断面図およびＢ−Ｂ線矢視断面図である図７および図８に示すように、この球通路形成ブロック６１には本入賞装置１０に備えられている上記各入賞口３８ａ，５２，５７および内部入賞口５８，５９から入賞した入賞球ならびに上記中央入賞装置１７における特別入賞口１７ａから入賞した入賞球を各々別個に通過させ得る複数の管状中空が本発明における上記球通路として形成されている。すなわち、図３に示すように、本実施形態に係る球通路形成ブロック６１には、本入賞装置１０に形成された大入賞口３５における上記左側内部入賞口５８から入賞した入賞球が通行する球通路６７、上記右側内部入賞口５９から入賞した入賞球が通行する球通路６５、上記左右一対の第１の普通入賞口５７と第２の普通入賞口５２から入賞した入賞球が各々通行する第３の球通路６８，第２の球通路６２、上記中央下入賞口３８ａから入賞した入賞球が通行する第１の球通路６６、ならびに、上記中央入賞装置１７における特別入賞口１７ａから入賞した入賞球が通行する第４の球通路５６が形成されている。
【００３０】
而して、上記中央入賞装置１７における特別入賞口１７ａから入賞した入賞球が通行する第４の球通路５６（以下「中央入賞球通路５６」という。）の上端は、上記裏誘導路２４に連結されている。このように、従来の遊技盤におけるような各入賞口に各々対応した裏誘導路が相互に独立して散在配置されて成る入賞球誘導路とは異なり、本遊技盤８裏面における入賞球誘導路は本入賞装置１０の裏面を一部利用して形成されているためコンパクトである。このため、遊技盤８裏面において入賞球誘導路が占有する面積が小さくなり、結果、他の遊技装置類の配置や電装品の配置に関する自由度を高めることができる。
なお、上記各球通路５６，６２，６５，６６，６７，６８の下端部は、上記普通入賞装置１３ａ，１３ｂのための裏誘導路２８，２９と同様、パチンコ機１本体側の球送り通路（図示せず）にそれぞれ連結される。
【００３１】
次に、上記各入賞口１７ａ，３８ａおよび内部入賞口５８，５９から入賞した入賞球を検出するための検知器およびそれらの装着部位について説明する。
図３に示すように、本入賞装置１０の裏側に設けられた各球通路５６，６２，６５，６６，６７，６８のうち、上記左右一対の第１の普通入賞口５７と第２の普通入賞口５２に係るもの以外の球通路６５，６６，６７，５６の一部には、各入賞口１７ａ，３８ａおよび内部入賞口５８，５９から入賞した入賞球を検出するための検知器７１，７２，７３，７４が設置されている。すなわち、上記左側内部入賞口５８から入賞した入賞球Ｂが通過する球通路６７について示す図７、ならびに上記中央入賞球通路（第４の球通路）５６について示す図８および図９からも明らかなように、本実施形態においては従来のパチンコ機においても広く使用されている近接スイッチタイプの検知器７１，７２，７３，７４が各球通路６５，６６，６７，５６の一部に装備されている。なお、これら検知器７１，７２，７３，７４は図示しないパチンコ機１本体の制御装置と電気的に接続されている。
このように構成することにより、各入賞口から入賞した入賞球Ｂは、各球通路６５，６６，６７，５６を通過する際に同時に検知器７１，７２，７３，７４（ここでは近接スイッチ）を通過することとなり、結果、当該入賞球Ｂの存在が検出される。
【００３２】
また、図３から明らかなように、本遊技盤８においては中央入賞装置１７の特別入賞口１７ａからの入賞球Ｂを検出するための検知器７４を当該中央入賞装置１７から離隔した位置にある本入賞装置１０の裏面上に備えたため、中央入賞装置１７自体のサイズあるいは当該入賞装置１７が構成する特別入賞口１７ａの形状をコンパクトにすることができる。さらに、中央入賞装置１７裏面に設けた裏誘導路２４に検知器を装備するためのスペースを確保する必要もないため、当該裏誘導路２４自体の形状もコンパクトなものにすることが可能となり、結果、中央入賞装置１７と本入賞装置１０とを近接させた状態で遊技盤８パネル部材８ａに縦列に装着することができる。
【００３３】
また、上述のように本入賞装置１０に形成された各球通路６５，６６，６７，５６に検知器７１，７２，７３，７４を集約して設けた結果、当該検知器７１，７２，７３，７４からパチンコ機本体１側の制御装置（図示せず）への配線処理をひとまとめに行うことができる。さらに、本入賞装置１０を遊技盤８から取り外すことによってこれら検知器７１，７２，７３，７４およびそれに付随する電子部品（コード類等）の交換その他のメンテナンス作業を容易に行うことができる。
【００３４】
以上、本発明の遊技盤の好適な実施形態を図面を参照しつつ説明したが、本発明は上述の実施形態に限定されるものではない。
例えば、上記実施形態に係る遊技盤８では上記左右一対の普通入賞装置１３ａ，１３ｂのための裏誘導路２８，２９が本入賞装置１０裏面に形成された各球通路５６，６２，６５，６６，６７，６８とは別個独立して設けられているが、このような様式に代えて、当該裏誘導路２８，２９の下端部を本入賞装置１０における上記左右一対の第１の普通入賞口５７と第２の普通入賞口５２のための第２の球通路６２，第３の球通路６８に連通させてもよい。この場合において、当該第２の球通路６２，第３の球通路６８途上に近接スイッチ等の検知器を設けることによって、普通入賞装置１３ａ，１３ｂにおける入賞口１３ｃ，１３ｄおよび本入賞装置１０における第１の普通入賞口５７と第２の普通入賞口５２から入賞した入賞球を検出するようにしてもよい。このことによって、当該普通入賞装置１３ａ，１３ｂにおける入賞口１３ｃ，１３ｄおよび本入賞装置１０における第１の普通入賞口５７と第２の普通入賞口５２の周縁部に検知器を別途装備する必要がなくなり、当該入賞口１３ｃ，１３ｄ，５２，５７あるいは普通入賞装置１３ａ，１３ｂ自体の形状をさらにコンパクトにすることが可能となる。また、このことによって、上記遊技盤８における各入賞口に関する入賞球検知器をすべて一つの入賞装置１０の裏面に集約することができるため、当該検知器のメンテナンス処理或いは当該検知器に係る配線処理をさらに効率よく行うことができる。
【００３５】
【発明の効果】
本発明によれば、遊技盤裏面において、特別入賞口（１７）に入賞した球は、第４の球通路（５６）と相互に隔てられ、且つ、合流しないように設けられているので、特別入賞口（１７）に入賞した球の球詰まり防止となり、遊技者に大きな利益を与えることになる図柄変動がなされなくなる不都合を防止できるし、且つ、第４の球通路（５６）を第２の球通路（６８）と第３の球通路（６２）との間に形成されているので、遊技盤裏面側に形成の球通路の横幅を地小さくすることができ、スペースの有効活用を図ることができる。
【図面の簡単な説明】
【図１】
一実施形態に係る本発明の遊技盤を装着したパチンコ機の外観を示す正面図である。
【図２】
一実施形態に係る本発明の遊技盤の表面構成を示す遊技盤正面図である。
【図３】
一実施形態に係る本発明の遊技盤の裏面構成を模式的に示す遊技盤背面図である。
【図４】
一実施形態に係る本発明の遊技盤に装着される入賞装置を示す斜視図である。
【図５】
一実施形態に係る本発明の遊技盤に装着される入賞装置を示す斜視図である。
【図６】
一実施形態に係る本発明の遊技盤に装着される入賞装置を示す正面図である。
【図７】
図６におけるＡ−Ａ線矢視断面図である。
【図８】
図６におけるＢ−Ｂ線矢視断面図である。
【図９】
一実施形態に係る本発明の遊技盤に装着される入賞装置の構造を一部透過した状態で示す斜視図である。
【図１０】
従来のパチンコ機用遊技盤の裏面構成を模式的に示す遊技盤背面図である。
【図１１】
従来のパチンコ機用遊技盤の裏面構成を模式的に示す遊技盤背面図である。
【符号の説明】
１  パチンコ機
８  本遊技盤
１０  本入賞装置
１３ａ，１３ｂ  普通入賞装置
１３ｃ，１３ｄ  普通入賞口
１７  中央入賞装置
１７ａ  特別入賞口
２４，２８，２９  裏誘導路
３５  大入賞口
３８ａ  中央下入賞口
５２  第２の普通入賞口
５７  第１の普通入賞口
５６  第４の球通路
６２  第２の球通路
６５  球通路
６６  第１の球通路
６７  球通路
６８  第３の球通路
５８，５９  内部入賞口
７１，７２，７３，７４，７８，７９  検知器
Ｂ  球